【手続補正書】
【提出日】平成16年2月13日(2004.2.13)
【手続補正１】
【補正対象書類名】明細書
【補正対象項目名】全文
【補正方法】変更
【補正の内容】
【発明の名称】電気掃除機
【特許請求の範囲】
【請求項１】電動送風機と、前記電動送風機の吸引側に配され集塵フィルターを有する集塵室と、前記集塵室に連通する塵埃吸引用の吸気口と、前記電動送風機からの排気を放出する排気口と、前記集塵フィルターの外側空間と前記電動送風機を連通する通路に外気を導入する空気導入口を具備し、前記空気導入口を開閉する開閉フタを設けた電気掃除機。
【請求項２】本体の前部に吸気口を、後部に排気口をそれぞれ設け、掃除機本体の操作方向に対して前後方向に回動するハンドルアーム体を設け、前記ハンドルアーム体の回動と開閉フタを連動させて空気導入口を開閉するようにした電気掃除機。
【請求項３】空気導入口からの吸込気流を集塵フィルターの外面に対し略平行に導入するようにした請求項１記載の電気掃除機。
【発明の詳細な説明】
【０００１】
【発明の属する技術分野】
本発明は、一般家庭で使用される電気掃除機に関するもので、排気を利用した電気掃除機に関するものである。
【０００２】
【従来の技術】
従来の電気掃除機を、図８〜図１０を用いて説明する。１は電動送風機２の前方に集塵袋３を内蔵する集塵室４を有し、集塵室４後方に排気口５が形成された掃除機本体である。６は掃除機本体１の側面に取着した車輪、７は掃除機本体１の下面にキャスター、８は掃除機本体１のホース接続口９に着脱自在に具備されたホースで、延長管（図示せず）、床ノズル（図示せず）に連結されており、電動送風機２により、塵埃は床ノズルより空気とともに吸引され、ホース８を通り集塵袋３により捕獲され、濾過された空気は排気口５より排出される。
【０００３】
掃除機本体１の電動送風機２の後方にはブロアー接続口１０を形成してあり、排気の排出方向を排気口５からブロアー接続口１０に変更する開閉フタ１１をバネ１２により回動自在に取着してあり、ホース８をホース接続口９から外し、ブロアー接続口１０の開閉フタ１１をバネ１２に抗して取着すると、排気はブロアー接続口１０に流れホース７の先端から排気が噴出し、カウンター上や隙間内の塵埃の吹き飛ばしができブロアーとして利用することが可能となる。
【０００４】
【発明が解決しようとする課題】
しかし、従来の電気掃除機にあっては、ブロアー使用時、集塵袋３に溜まった塵埃の臭いや微細塵がブロアー使用中に外気に出るという問題があり、近年の排気のクリーン化や衛生化に対する要望が高い中で、ブロアー使用中については問題があった。
【０００５】
本発明は、以上のような従来の課題を解決しようとするものであって、ブロアー使用時の排気のクリーン化、衛生化を向上させた電気掃除機を提供することを目的としている。
【０００６】
【課題を解決するための手段】
上記目的を達成するために本発明は、電動送風機の吸引側に配され集塵フィルターを有する集塵室と、前記集塵室に連通する塵埃吸引用の吸気口と、前記電動送風機からの排気を放出する排気口と、前記集塵フィルターの外側空間と前記電動送風機を連通する通路に外気を導入する空気導入口を具備し、前記空気導入口を開閉する開閉フタを設けたことにより、排気口からの排出される電動送風機からの排気を利用して掃除機本体をブロアーとして利用する際に、開閉フタで空気導入口を解放すると、外気が集塵フィルターを通過せずに直接電動送風機で吸引され排気口から排出されるので、集塵室内に溜まった塵埃の臭いがブロアーとして使用中に排気口から出て来ないので快適に電気掃除機を利用することが出来るものである。
【０００７】
【発明の実施の形態】
本発明の請求項１記載の発明は、電動送風機の吸引側に配され集塵フィルターを有する集塵室と、前記集塵室に連通する塵埃吸引用の吸気口と、前記電動送風機からの排気を放出する排気口と、前記集塵フィルターの外側空間と前記電動送風機を連通する通路に外気を導入する空気導入口を具備し、前記空気導入口を開閉する開閉フタを設けたことにより、排気口からの排出される電動送風機からの排気を利用して掃除機本体をブロアーとして利用する際に、開閉フタで空気導入口を解放すると、外気が集塵フィルターを通過せずに直接電動送風機で吸引され排気口から排出されるので、集塵室内に溜まった塵埃の臭いがブロアーとして使用中に排気口から出て来ないので快適に電気掃除機を利用することが出来るものである。
【０００８】
本発明の請求項２記載の発明は、本体の前部に吸気口を、後部に排気口をそれぞれ設け、掃除機本体の操作方向に対して前後方向に回動するハンドルアーム体を設け、前記ハンドルアーム体の回動と開閉フタを連動させて空気導入口を開閉するようにしたので、前記ハンドルアーム体を後方に倒して通常の電気掃除機として使用するときに、空気導入口を閉じ、他方ハンドルアーム体を前方に倒して電気掃除機をブロアーとして使用するときに前記空気導入口を開閉フタで開くようにハンドルアーム体と連動させることで、通常の掃除の時は、床の塵埃が吸気口から吸引され、ブロアーとして使用するときは、塵埃の臭いが排気口から出て来ないので快適に電気掃除機を利用することが出来るものである。
【０００９】
本発明の請求項３記載の発明は、空気導入口からの吸込気流を集塵フィルターの外面に対し略平行に導入するようにしたもので、空気導入口から流入する吸込気流が集塵フィルター外面についた微細塵を除去するので、塵埃による目づまりを防止し、吸込性能を長期に渡って維持する事が出来る。
【００１０】
【実施例】
以下本発明の第１の実施例について、図１〜図７を用いて説明する。
【００１１】
１５は、掃除機本体であり、この内部に端部より、集塵室１６、集塵フィルター１７、電動送風機１８が配設されており、掃除機本体１５は、略円筒状に形成されている。
【００１２】
掃除機本体１５の前方には、塵埃を吸引する吸気口１９、後方には排気口２０が設けられており、吸気口１９より吸引された塵埃は、集塵室１６の集塵フィルター２１で捕獲され集塵され、さらに空気は集塵フィルター１７を通過し電動送風機１８後方より、排気口２０から外気に排出している。
【００１３】
掃除機本体１５の一端には、集塵室蓋２１が設けられており、他端には、掃除機本体１５の外郭を形成するボデーウエ２２が備えられている。
【００１４】
略円筒状の掃除機本体外周２３には、掃除機本体１５の略中心を回動中心２４として、掃除機本体外周２３を回動する、略円筒状のハンドルアーム体２５が形成されている。
【００１５】
ハンドルアーム体２５は、掃除機本体１５を回動させて、吸気口１９を床面等に略平面に接しさせている。また、ハンドルアーム体２５の外径は、掃除機本体外周２３と略同等の、径に形成されており、ハンドルアーム体２５の外周からは、棒状の突出部２６を配設し、前記突出部２６の端部にはパイプ等からなる延長管２７を具備し、この延長管２７の先端には、掃除機本体１５を操作する時のグリップ性のある把手２８が形成されている。
【００１６】
このため、図５のように把手２８を持ちハンドルアーム体２５を掃除機本体１５の吸気口１９と反対側に回動し、把手２８を前後方向に操作すると吸気口１９から塵埃を吸引できる。
【００１７】
また、図７のように把手２８を持ちハンドルアーム体２５を掃除機本体１５の吸気口１９側に回動し、把手２８を持ち掃除機本体１５を持ち上げ、排気口２０からの排気を、カウンター上や隙間内に当てると、塵埃の吹き飛ばしができブロアーとしての利用、また床面を水で湿したモップ掛けした後に排気口２０からの排気を床面に当てると床面乾燥が可能となる。すなわち、ハンドルアーム体２５を前後方向に回動する簡単な操作で一般的な吸い込みによる掃除と、排気を利用したブロアー機能や床面乾燥等の用途の使い分けが可能となり、掃除用途が広がり多機能化し、使用性の向上と効率的な掃除が可能となる。
【００１８】
集塵室１６内の集塵フィルター１７の外側と外気とを連通する空気導人口２９を設けてあり、ハンドルアーム体２５には、ハンドルアーム体２５と一体形成した排気口フタ３０が設けられている。把手２８、ハンドルアーム体２５を掃除機本体１５の排気口２０の方向に回動すると、ハンドルアーム体２５の開閉フタ３０により空気導入口２９は閉じられる。また、把手２８、ハンドルアーム体２５を掃除機本体１５の吸気口１９方向へ回動すると、空気導入口２９はハンドルアーム体２５の開閉フタ３０により開けられる。
【００１９】
すなわち、ハンドルアーム体２５を掃除機本体１５の吸気口１９側に回動し、把手２８を持ち掃除機本体１５を持ち上げ、排気口２０からの排気を、カウンター上や隙間内に当てると、塵埃の吹き飛ばしができブロアーとしての利用、また、掃除機本体１５を床面上で操作すると、床面を水で湿したモップ掛けした後に排気口２０からの排気を床面に当てると電動送風機１８の発熱による熱風により床面乾燥ができる。この時、吸入空気は外気から空気導入口２９、電動送風機１８を通り排気口２０から噴出されるが、この時吸入空気は集塵室１６に溜まった塵埃を通過しないため、ブロアー使用中に集塵室１６内に溜まった塵埃の微細塵や臭いが排気口２０から出てこなくなり、排気のクリーン化が可能となり衛生的に掃除ができるものである。
【００２０】
また、空気導人口からの吸込気流を集塵フィルター１７に略平行に導入し、吸込気流が集塵フィルター１７を吹きつけ集塵フィルター１７表面についた微細塵を除去塵埃による目づまりを防止し、吸込性能を維持する。
【００２１】
【発明の効果】
本発明の請求項１記載の発明によれば、排気口からの排出される電動送風機からの排気を利用して掃除機本体をブロアーとして利用する際に、開閉フタで空気導入口を解放すると、外気が集塵フィルターを通過せずに直接電動送風機で吸引され排気口から排出されるので、集塵室内に溜まった塵埃の臭いがブロアーとして使用中に排気口から出て来ないので快適にブロアーとして電気掃除機を利用することが出来るものである。
【００２２】
本発明の請求項２記載の発明によれば、掃除機本体の操作方向に対して前後方向に回動するハンドルアーム体の回動と開閉フタを連動させて空気導入口を開閉するようにしたので、前記ハンドルアーム体を後方に倒して通常の電気掃除機として使用するときに、開閉フタで空気導入口を閉じて、床の塵埃を吸気口から吸引し、また、ハンドルアーム体を前方に倒して電気掃除機をブロアーとして使用するときには、前記空気導入口を開閉フタで開けることで、塵埃の臭いが排気口から出て来ないので快適に電気掃除機を利用することが出来るものである。
【００２３】
本発明の請求項３記載の発明によれば、空気導入口からの吸込気流を集塵フィルターの外面に対し略平行に導入するようにしたもので、空気導入口から流入する吸込気流が集塵フィルター外面についた微細塵を除去するので、塵埃による目づまりを防止し、吸込性能を長期に渡って維持する事が出来る。
【図面の簡単な説明】
【図１】本発明の第１の実施例を示す電気掃除機の側面図
【図２】同電気掃除機の正面図
【図３】図２のＡ−Ａ断面図
【図４】図２のＢ−Ｂ断面図
【図５】同電気掃除機の後面図
【図６】同電気掃除機の通常状態での使用時の状態図
【図７】同電気掃除機のブロアー使用時の状態図
【図８】従来例を示す電気掃除機の全体側面図
【図９】同電気掃除機の平面部分図
【図１０】同電気掃除機をブロアーとして使用する時の平面部分図
【符号の説明】
１５  掃除機本体
１６  集塵室
１７  集塵フィルター
１８  電動送風機
１９  吸気口
２０  排気口
２４  回動中心
２５  ハンドルアーム体
２９  空気導入口
３０  開閉フタ